(57)【要約】【課題】ボビン表面の糸端の捕捉および糸継ぎを迅速かつ容易に行い、糸製造の再開に要する時間を最小化するための方法および装置を提供すること。【解決手段】繊維機械、特に複数の作業ステーションを有する紡績機または巻取機の動作方法であって、糸をボビンに搬送する工程と、前記糸を前記ボビンに糸掛けする工程と、前記糸を前記ボビンに巻き取る工程と、前記ボビンに巻き取られた前記糸の糸端を吸引ノズルにより捕捉する工程とを含み、前記糸端は、前記ボビンの表面に近接して配置された前記吸引ノズルの吸引口により吸引され、前記糸は、前記ボビンに搬送される際、前記吸引ノズルの入口から前記吸引ノズル内に進入し、前記吸引口から前記吸引ノズル外に出ることで前記吸引ノズル内を通過し、前記糸は、糸搬送装置を通過後、前記ボビンの直前に配置された前記吸引ノズル内に進入するまで自由に搬送されることを特徴とする方法。【選択図】図１
2017043494.tif 000002
【特許請求の範囲】
【請求項１】
繊維機械、特に複数の作業ステーション（１）を有する紡績機または巻取機の動作方法であって、
糸（７）をボビン（１２）に搬送する工程と、
前記糸（７）を前記ボビン（１２）に糸掛けする工程と、
前記糸（７）を前記ボビン（１２）に巻き取る工程と、
前記ボビン（１２）に巻き取られた前記糸（７）の糸端を吸引ノズル（４）により捕捉する工程とを含み、
前記糸端は、前記ボビン（１２）の表面に近接して配置された前記吸引ノズル（４）の吸引口（１０）により吸引され、
前記糸（７）は、前記ボビン（１２）に搬送される際、前記吸引ノズル（４）の入口（９）から前記吸引ノズル（４）内に進入し、前記吸引口（１０）から前記吸引ノズル（４）外に出ることで前記吸引ノズル（４）内を通過し、
前記糸（７）は、糸搬送装置を通過後、前記ボビン（１２）の直前に配置された前記吸引ノズル（４）内に進入するまで自由に搬送されることを特徴とする方法。
【請求項２】
前記吸引ノズル（４）は、接続口（１５）を備え、前記入口（９）または前記接続口（１５）を通じて吸引システム（１７）に接続されることを特徴とする請求項１に記載の方法。
【請求項３】
前記糸端の吸引を行う際、前記吸引ノズル（４）を密封するために前記入口（９）が閉鎖されることを特徴とする請求項１または２に記載の方法。
【請求項４】
前記糸端の吸引を行う際、前記入口（９）が接続要素（１９）を通じて前記吸引システム（１７）に接続されることを特徴とする請求項１〜３のいずれかに記載の方法。
【請求項５】
前記吸引ノズル（４）の吸引口（１０）は、前記ボビン（１２）表面からの距離が異なる少なくとも２つ、好ましくは３つの位置に移動されることを特徴とする請求項１〜４のいずれかに記載の方法。
【請求項６】
前記吸引口（１０）は、綾振り装置（５）の糸上げ装置（２０）および／または糸ガイド（１１）と連動することを特徴とする請求項１〜５のいずれかに記載の方法。
【請求項７】
前記吸引口（１０）は、前記糸（７）が前記ボビン（１２）に搬送される際、第１位置に配置され、前記糸端の吸引を行う際、前記第１位置よりも前記ボビン（１２）に近い第２位置に配置され、前記糸上げ装置（２０）により前記綾振り装置（５）から前記糸（７）が持ち上げられる際、前記第１位置よりも前記ボビン（１２）から遠い第３位置に配置されることを特徴とする請求項１〜６のいずれかに記載の方法。
【請求項８】
前記吸引口（１０）の第２位置は、前記ボビン（１２）の直径および／または前記糸（７）の関数として調整されることを特徴とする請求項１〜７のいずれかに記載の方法。
【請求項９】
糸（７）をボビン（１２）に搬送するための糸搬送装置（３）と、
前記糸（７）を前記ボビン（１２）に糸掛けするための綾振り装置（５）と、
前記糸（７）を前記ボビン（１２）に巻き取るための巻取装置（６）と、
前記ボビン（１２）に巻き取られた前記糸（７）の糸端を捕捉するための吸引ノズル（４）とを有し、
前記吸引ノズル（４）は、前記糸端を吸引するために前記ボビン（１２）の表面に近接して配置される吸引口（１０）を備え、
前記吸引ノズル（４）は、前記糸（７）の入口（９）を備え、前記糸（７）は、前記ボビン（１２）に搬送される際、前記入口（９）から前記吸引ノズル（４）内に進入し、前記吸引口（１０）から前記吸引ノズル（４）外に出ることで前記吸引ノズル（４）内を通過し、
前記糸（７）は、前記糸搬送装置（３）を通過後、前記ボビン（１２）の直前に配置された前記吸引ノズル（４）内に進入するまで自由に搬送されることを特徴とする繊維機械、特に複数の作業ステーション（１）を有する紡績機または巻取機。
【請求項１０】
前記吸引ノズル（４）は、前記作業ステーション（１）に固定配置されることを特徴とする請求項９に記載の繊維機械。
【請求項１１】
前記吸引ノズル（４）は、接続口（１５）を備え、前記入口（９）または前記接続口（１５）を通じて吸引システム（１７）に接続されることを特徴とする請求項９または１０に記載の繊維機械。
【請求項１２】
前記入口（９）は、前記糸端の吸引を行う際に前記入口（９）を閉鎖して前記吸引ノズル（４）を密封するための閉鎖要素（２８）を備えることを特徴とする請求項９〜１１のいずれかに記載の繊維機械。
【請求項１３】
前記入口（９）は、旋回または変位可能に配置され、前記糸端の吸引を行う際に前記吸引ノズル（４）と前記吸引システム（１７）を接続するように構成された接続要素（１９）を備えることを特徴とする請求項９〜１２のいずれかに記載の繊維機械。
【請求項１４】
前記吸引ノズル（４）の吸引口（１０）は、少なくとも２つ、好ましくは３つの位置に変位可能であることを特徴とする請求項９〜１３のいずれかに記載の繊維機械。
【請求項１５】
前記吸引口（１０）は、前記綾振り装置（５）の糸上げ装置（２０）および／または糸ガイド（１１）と連結されることを特徴とする請求項９〜１４のいずれかに記載の繊維機械。
【請求項１６】
前記綾振り装置（５）および／または前記巻取装置（６）は、個別の駆動装置を備えることを特徴とする請求項９〜１５のいずれかに記載の繊維機械。
【発明の詳細な説明】
【技術分野】
【０００１】
本発明は、糸をボビンに搬送する工程と、糸をボビンに糸掛けする工程と、糸をボビンに巻き取る工程と、ボビンに巻き取られた糸端を吸引ノズルにより捕捉する工程とを含み、糸端はボビンの表面に近接して配置された吸引ノズルの吸引口により吸引されることを特徴とする、繊維機械、特に複数の作業ステーションを有する紡績機または巻取機の動作方法、および、これに対応する糸搬送装置、綾振り装置、巻取装置、および吸引口を備える吸引ノズルを有する繊維機械に関する。
【背景技術】
【０００２】
欧州特許出願公開第２８３２８８号には、オープンエンド式ロータ紡績機を備える紡績装置が開示されている。上記オープンエンド式紡績装置は、製造された糸を均一にボビンに巻き取るために、モータにより駆動される綾振り装置を備える。糸切れが発生すると、それによって生じた糸端がボビンに巻き取られる。ボビンに巻き取られた糸端を新たに紡糸された糸に接続するに先立ち、ボビン表面の糸端を捕捉する必要がある。上記作業は、旋回移動可能な負圧吸引ノズルによって行われる。すなわち、糸切れが生じると、ボビン下方に配置された吸引ノズルがボビンの表面付近まで旋回上昇する。続いて、ボビンを回転させながら吸引ノズルでボビン表面を吸引することで、糸端が捕捉される。その後、捕捉した糸端を糸継ぎに使用できるようにするための処理が行われる。このとき、糸端は吸引ノズルにより他の処理装置に移送される。上記文献に記載の紡績装置では、吸引ノズルをボビン付近まで移動させて糸端を捕捉した後、さらに吸引ノズルを後続の処理装置まで移動させて糸端の受け渡しを行うため、全体の工程時間が長くなる。また、装置の構造が複雑化、大型化する。
【０００３】
欧州特許出願公開第０１２８１２１号には、巻取機のボビン表面の糸端を捕捉するための吸引ノズルが開示されている。糸切れが発生すると、ボビンに巻き取られた糸端を新たなに紡糸された糸に糸継ぎするために、ボビンが停止される。続いて、ボビンが巻取方向と逆方向に回転され、糸継ぎに必要な長さの糸が巻き戻される。その際、ボビン表面に付着した糸端を探索し、捕捉するために、吸引ノズルの吸引口を通じてボビン表面が吸引される。捕捉された糸端は、吸引ノズルから移送され、糸継ぎの準備がなされた後、糸の搬送経路に戻される。上記方法では、糸継ぎに要する時間が長くなるため、装置の効率が低下する。
【０００４】
欧州特許出願公開第２４４４３４７号には、糸を、繰出し位置に位置決めされた給糸ボビンと巻取装置との間に配置された糸案内通路内で案内する巻取機が開示されている。糸案内通路の後に配置された旋回運動可能な吸引ヘッドにより、ボビン表面の糸端が捕捉され、ボビンと吸引ヘッドの開口部との間に挟持される。上記方法では、捕捉した糸に種々の処理を施すため、糸をハンドリング装置に移送する必要がある。糸案内通路には、様々な糸監視装置や糸処理装置が収容されており、また、糸案内通路は、長く、変形しない構造であるため、糸詰まりが生じた場合の修復が困難である。
【発明の概要】
【発明が解決しようとする課題】
【０００５】
本発明の課題は、ボビン表面の糸端の捕捉および糸継ぎを迅速かつ容易に行い、糸製造の再開に要する時間を最小化するための方法および装置を提供することである。
【課題を解決するための手段】
【０００６】
上記課題は、添付の独立請求項に記載の構成を備える方法および装置により解決される。
【０００７】
本発明に係る繊維機械、特に複数の作業ステーションを有する紡績機または巻取機の動作方法は、糸をボビンに搬送する工程と、ボビン表面に糸掛けする工程と、糸をボビンに巻き取る工程と、ボビンに巻き取られた糸端を吸引ノズルにより捕捉する工程とを含む。糸端は、ボビンの表面に近接して配置された吸引ノズルの吸引口により吸引される。糸切れが生じた際に、ボビン表面の糸端の捕捉および糸継ぎを迅速に行うために、通常の紡糸運転において、糸は吸引ノズル内を通過してボビンに搬送される。すなわち、糸は吸引ノズルの入口から吸引ノズル内に進入し、出口（例えば、吸引口）から吸引ノズル外に出る。糸は、糸搬送装置（あるいは、紡糸ユニット、巻取機のボビン）を通過後、ボビンの直前に配置された吸引ノズルに進入するまで自由に搬送される。通常の搬送工程において、糸がボビン直前の吸引ノズル内に配置されているため、糸切れの発生および糸端の捕捉後、糸継ぎを行う際に、糸を吸引ノズルから糸搬送経路へ移送する必要がない。つまり、本発明では、糸端の捕捉後も糸が吸引ノズル内、すなわち糸搬送経路上に留まるため、糸継ぎに要する時間を低減し、繊維機械の生産性および効率を高めることができる。糸は、糸搬送装置を通過後、ボビン直前の吸引ノズル内に進入するまで自由に搬送されるため、同区間における糸処理が容易となる。例えば、糸引出装置の設置および動作が容易となる。また、吸引ノズルによって覆われるのは糸搬送経路の一部のみであるため、吸引ノズルへの糸通しをスムーズに行うことができる。これにより、吸引ノズルの糸詰まりを防止することができる。さらに、吸引ノズルを短く構成することができる。具体的に、吸引ノズル内の糸経路の長さは、８０ｃｍ以下、特に４０ｃｍ以下であることが好ましい。
【０００８】
また、本発明に係る繊維機械は、吸引ノズルから糸端を受け取り、糸経路に移送するための処理装置が不要であるため、従来の繊維機械よりも簡易な構成とすることができる。
【０００９】
通常の糸搬送において、糸は、吸引ノズルの入口と吸引口を通ってボビンに搬送されることが好ましい。これにより、吸引ノズルに吸引された糸端は、吸引ノズルの吸引口と入口を通って逆搬送され、糸継ぎの完了後、再び通常の搬送方向に搬送される。すなわち、これら一連の工程は、すべて糸の搬送経路上で行われる。
【００１０】
本発明の好ましい実施形態において、吸引ノズルは、入口または第３の開口を通じて吸引システムに接続される。吸引システムは、吸引ノズル内に負圧を生成するために配置される。これにより、吸引ノズルの吸引口を通じてボビン表面の糸端を吸引することが可能となる。吸引ノズルは、例えば、入口を通じて吸引システムに接続される。また、吸引ノズルは、第３の開口を通じて吸引システムに接続されてもよい。この場合、第３の開口と吸引システムを常時接続することで、負圧案内要素を固定配置することができる。
【００１１】
糸端の吸引を行う際、入口を閉じて吸引ノズルを密封することが好ましい。これにより、吸引口に作用する負圧を増大させることができる。また、入口からの圧力漏れを防止することができる。
【００１２】
また、入口と吸引システムを接続する際、接続要素を用いることで、負圧案内要素を固定配置することができる。この場合、接続要素のみを移動すればよいため、迅速に、かつ簡易な構成で実行することができる。
【００１３】
吸引ノズルの吸引口は、ボビン表面からの距離が異なる少なくとも２つ、特に３つの位置に移動されることが好ましい。上記位置は、例えば、通常の糸搬送、糸端捕捉、綾振り装置（綾振り糸ガイド）からの糸上げなどの各処理段階に対応する位置である。ボビン表面に対して吸引口の位置を適宜変更することで、糸端の発見および糸継ぎを行うための処理を迅速に行うことができる。
【００１４】
吸引口は、綾振り装置の糸上げ装置および／または糸ガイドと連動することが好ましい。これは、機械的に、または電気的制御により実現される。例えば、吸引口が所定位置に移動すると、綾振りを停止するために糸上げ装置が糸ガイドから糸を持ち上げ、および／または、吸引口の移動経路を確保するために糸ガイドがボビンまたは吸引口付近から離れる。
【００１５】
通常の糸搬送段階において、吸引口は、第１位置、すなわち中間位置に配置されることが好ましい。このとき、吸引口は、糸の搬送を妨げないように配置される。すなわち、吸引口がボビンに近すぎると、糸の巻き取りを阻害するおそれがあり、ボビンから離れすぎると、吸引ノズル内の糸搬送経路を遮るおそれがある。
【００１６】
糸端の捕捉段階では、吸引口は、第２位置、すなわち第１位置よりもボビン表面に近い位置に配置されることが好ましい。吸引口がボビン表面に近接して配置されることで、ボビン表面により大きな吸引力を作用させることができる。
【００１７】
吸引口の第２位置は、ボビンの直径および／または糸の関数として調整されることが好ましい。これにより、糸端を迅速かつ確実に捕捉および吸引することができる。
【００１８】
糸上げ段階（糸上げ装置の動作段階）では、吸引口は、第３位置、すなわち第１位置よりもボビン表面から遠い位置に配置されることが好ましい。糸上げ装置により、糸を綾振り装置から持ち上げまたは引き離すことができる。また、糸ガイドが吸引口から離れるように移動することで、糸処理を行うためのスペースを確保することができる。糸が吸引ノズル内に配置されているが、綾振りを行わない場合、吸引口は第３位置に配置されることが好ましい。
【００１９】
本発明に係る繊維機械、特に複数の作業ステーションを有する紡績機または巻取機は、糸をボビンに搬送するための糸搬送装置、ボビンに糸掛けするための綾振り装置、糸をボビンに巻き取るための巻取装置、およびボビンに巻き取られた糸端を捕捉するための吸引ノズルを有する。吸引ノズルは、糸端を吸引するためにボビンの表面に近接して配置される吸引口を備える。吸引ノズルは、固定または移動可能に構成されるが、好ましくは、作業ステーションに固定配置される。吸引ノズルはさらに、ボビンへの糸搬送の際に糸が吸引ノズルに進入するための入口を備える。つまり、糸は、入口から吸引ノズル内に進入し、出口（例えば、吸引口）から吸引ノズル外へ出る。すなわち、吸引ノズルは、ボビンへの糸搬送の際に糸が通過するための少なくとも２つの異なる開口を備える。そのため、糸端の捕捉および吸引時においても、糸は、通常の糸搬送時の糸経路上に位置する。これにより、糸継ぎに先立って行われる糸端の処理を迅速かつ容易に行うことができる。また、繊維機械の構成を簡易にすることができる。糸の処理を容易にするため、糸搬送装置を通過した糸は、ボビンの直前に配置された吸引ノズル内に進入するまで自由に搬送されることが好ましい。吸引ノズルの糸詰まりを防止し、さらに引出装置または糸継ぎ装置等を手動または処理装置により動作させるための十分なスペースを確保するために、吸引ノズル内の糸経路の長さは、８０ｃｍ以下、特に４０ｃｍ以下であることが好ましい。
【００２０】
吸引ノズルは、作業ステーションに固定配置されることが好ましい。この場合、吸引ノズル自体を移動する必要がないため、吸引ノズルの構成および作業ステーションへの設置を簡易化することができる。
【００２１】
吸引ノズルは、入口または第３の開口を通じて吸引システムに接続されることが好ましい。吸引システムを入口に接続することで、機械の構成を簡易にすることができる。入口において十分な接続スペースを確保できない場合は、第３の開口を通じて吸引システムに接続することが好ましい。より大きな接続スペースを備える第３の開口を利用することで、吸引ノズルと吸引システムを容易に接続することができる。
【００２２】
入口は、閉鎖要素を備えることが好ましい。閉鎖要素は、糸端を吸引する際に吸引ノズルを密封するために設けられる。特に第３の開口を通じて吸引ノズルと吸引システムを接続する場合に、糸端の吸引に関与しない開口を塞ぐことで、吸引口に作用する負圧を増大させることができる。そのため、より迅速かつ確実に糸端を発見することが可能となる。
【００２３】
入口は、糸端を吸引する際に吸引ノズルと吸引システムを接続するための接続要素を備えることが好ましい。これにより、吸引ノズル、吸引システムおよび関連する配管を作業ステーションに固定配置することができる。また、接続要素を通じて、吸引システムから吸引ノズルに負圧を導入することができる。
【００２４】
入口が備える接続要素および／または閉鎖要素は、旋回または変位可能に配置されることが好ましい。これにより、吸引ノズルと吸引システムの接続または入口の閉鎖を容易に行うことができる。
【００２５】
吸引ノズルの吸引口は、調整可能、特に変位可能であることが好ましい。これにより、吸引口をボビンの表面に対して様々な位置に配置することができる。そのため、ボビン表面の所望の位置に負圧を作用させ、あるいは、ボビン表面に沿って吸引口を移動させることが可能となる。
【００２６】
吸引口は、綾振り装置の糸上げ装置および／または糸ガイドと連結および連動することが好ましい。この場合、吸引口と糸上げ装置は、スロットガイドにより接続される。吸引口が移動することで、糸上げ装置がスロットガイドに沿って案内される。糸上げ装置が所定位置に到達すると、糸ガイドにおいて糸の上げ下げなどが行われる。また、吸引口の位置に応じて、綾振り装置の糸ガイドが吸引口から離れるように構成してもよい。この処理は、所定条件下で糸ガイドを限界領域から離脱させるように構成された電子回路によって行われることが好ましい。そのために、綾振り装置および／または巻取装置は、個別の駆動装置を備えることが好ましい。これにより、個々の作業ステーションにおいて、必要に応じて上記処理を行うことができる。
【図面の簡単な説明】
【００２７】
本発明のさらなる利点については、以下の実施形態の記載により説明する。
【図１】図１は、糸搬送段階における作業ステーションの概略図である。
【図２】図２は、糸端吸引段階における作業ステーションの概略図である。
【図３】図３は、吸引ノズルが３つの開口を備える場合の、糸搬送段階における作業ステーションの概略図である。
【図４】図４は、吸引ノズルが３つの開口を備える場合の、糸端吸引段階における作業ステーションの概略図である。
【図５】図５は、糸搬送段階における吸引口の概略図である。
【図６】図６は、糸上げ段階における吸引口の概略図である。
【図７】図７は、糸端吸引段階における吸引口の概略図である。
【図８ａ】図８ａは、吸引口が通常位置にあるときの糸上げ装置のスロットガイドの概略図である。
【図８ｂ】図８ｂは、吸引口と糸上げ装置が最も離れた位置にあるときの糸上げ装置のスロットガイドの概略図である。
【図８ｃ】図８ｃは、吸引口と糸上げ装置が最も近い位置にあるときの糸上げ装置のスロットガイドの概略図である。
【発明を実施するための形態】
【００２８】
図１は、紡糸ユニット２、糸搬送装置３、吸引ノズル４、綾振り装置５および巻取装置６を有する作業ステーション１を示す。紡糸ユニット２で紡糸された糸７は、搬送ローラ８により紡糸ユニット２から引き出される。紡糸ユニット２から引き出された糸７は、巻取装置６に向かって搬送され、吸引ノズル４の入口９および吸引口１０を通じて巻取装置６のボビン１２の直前に配置された吸引ノズル４内を通過する。糸７は、ボビン１２の表面に沿って往復移動する糸ガイド１１により、吸引ノズル４の吸引口１０と巻取装置６の間に配置された綾振り装置５からボビン１２に巻回される。ボビン１２が図１中の矢印方向に回転することで、糸７が巻き取られる。ボビン１２は、ボビンアーム１４に固定され、回転巻取ローラ１３により駆動される。糸７が自由に搬送される距離を十分に確保することで、糸７を再度搬送ローラ対８の間に挟持させ、あるいは糸７を紡糸ユニット２に移送することが容易になる。
【００２９】
入口９付近には、吸引ライン１６の接続口１５が配置される。吸引ライン１６は、負圧を生成する吸引システム１７に接続される。吸引ライン１６は、通常はバルブ１８により遮断されており、必要に応じて吸引ライン１６の接続口１５に負圧を作用させるように構成されている。
【００３０】
入口９を備える吸引ノズル４と、接続口１５を備える吸引ライン１６とは、別個に構成される。糸７は、ボビン１２に搬送される際、接続口１５付近を通過して入口９から吸引ノズル４に進入する。入口９と接続口１５を接続するための接続要素１９が、糸７の搬送を妨げないよう糸経路から横方向にずらして配置される。
【００３１】
図２は、糸端吸引段階における作業ステーション１を示す。すなわち、図２では、図1と異なり、ボビン１２から糸７が巻き戻されている。糸７の搬送中に糸切れが生じた場合、糸端はボビン１２に巻き取られる。糸端を発見および捕捉するために、吸引ノズル４の吸引口１０によりボビン１２の表面が吸引される。吸引に際しては、接続要素１９により入口９と接続口１５が接続される。続いて、バルブ１８を開くことで、吸引システム１７で生成された負圧が吸引ライン１６を通じて吸引ノズル４に作用される。すなわち、接続要素１９により、吸引ノズル４、接続要素１９および吸引ライン１６の間で連続する吸引チャネルが形成される。ボビン１２表面の糸７は、吸引チャネルに引き込まれた後、必要に応じて処理される。例えば、糸７は所定の長さに切断され、それによって生じた糸端が紡糸ユニット２での糸継ぎのために準備される。
【００３２】
接続要素１９を除去すると、吸引ノズル４に開口が形成される。作業員または処理装置は、上記開口を通じて、負圧により引き伸ばされた糸端を捕捉し、さらなる処理のために吸引チャネルから移送することができる。
【００３３】
図３は、本発明の他の実施形態に係る作業ステーション１を示す。本実施形態では、吸引ノズル４が３つの開口を備える点で図１の実施形態と異なる。すなわち、吸引ノズル４は、入口９および吸引口１０に加え、接続口１５を備える。図１と同様に、入口９と接続口１５は必ずしも接続されている必要はない。通常の糸搬送段階において、糸７は、図中の矢印方向に回転するボビン１２に巻き取られる前に、吸引ノズル４の入口９および吸引口１０を通じて吸引ノズル４内を通過する。入口９には、閉鎖要素２８が配置される。糸７をボビン１２に搬送する際、糸経路閉鎖要素２８は、糸搬送を妨げないように、糸経路の外側に配置される。また、吸引ライン１６は閉鎖されることが好ましい。
【００３４】
図４は、図３の作業ステーション１の糸端吸引段階を示す。すなわち、図４では、図３と異なり、ボビン１２から糸７が巻き戻されている。ボビン１２は、図中の矢印方向、すなわち糸７の巻取方向とは逆方向に回転される。図４に示すように、バルブ１８が開かれることで、糸端は、吸引システム１７で生成された負圧により、吸引ノズル４の吸引口１０を通じて捕捉および吸引される。吸引口１０に作用する負圧を最大化するために、入口９は閉鎖要素２８により閉鎖される。すなわち、糸７は、吸引ノズル４、閉鎖要素２８および吸引ライン１６からなる閉鎖された吸引チャネル内に配置される。この場合において、接続口１５は吸引ノズル４の一部となっている。
【００３５】
図５は、吸引口１０を備える吸引ノズル４の詳細を示す。吸引口１０とボビン１２または巻取ローラ１３との間には、綾振り装置５の糸ガイド１１が配置される。糸ガイド１１がボビン１２の前で糸７を綾振りすることで、綾巻きボビンが製造される。吸引口１０と糸ガイド１１の間に位置する糸７の下方には、糸上げ装置２０が配置される。図５は糸７の搬送段階であり、糸上げ装置２０は作動していない。
【００３６】
吸引ノズル４内の糸７は、センサ２２によって検出される。センサ２２は、例えば糸７の搬送中に作動される。また、センサ２２は、例えば、ボビン１２表面の糸端を吸引する際に、吸引ノズル４によって糸端が捕捉および吸引されたことを検出するために使用されることが好ましい。
【００３７】
糸７は、吸引口１０を通じて吸引ノズル４から出る。吸引口１０は、吸引ノズル４内に配置された口金２１に形成される。吸引口１０は、その全体または一部が吸引ノズル４の外側に配置されてもよい。口金２１は、吸引ノズル４内に変位可能に設置される。口金２１は、糸７の長手方向に変位し、ボビン１２に接近できるように構成される。
【００３８】
図６に示すように、糸上げ装置２０は、口金２１に連結されている。図６では、図５と比べて、口金２１がボビン１２から離れた位置（吸引ノズル４の奥側）にある。以下、図５における口金２１または吸引口１０の位置を第１位置、図６における同位置を第３位置とする。
【００３９】
口金２１または吸引口１０が第３位置に移動すると、糸上げ装置２０が上昇し、糸７を糸ガイド１１から離脱する位置まで押し上げる。上昇後、糸上げ装置２０は固定され、糸ガイド１１による糸７の綾振りが停止される。ボビン１２への巻き取りを行わない場合、例えば、糸７の搬送を停止する際や糸継ぎを行う際に、糸上げ装置２０は上記位置に配置されることが好ましい。
【００４０】
図７は、吸引口１０の第２位置を示す。第２位置では、吸引口１０がボビン１２の表面に近接して配置される。このとき、口金２１は、ほぼ全体が吸引ノズル４から突出している。糸上げ装置２０が低い位置に配置されるため、口金２１は糸上げ装置２０の上方を通過することができる。口金２１と糸ガイド１１の衝突を防止するため、糸ガイド１１は綾振り装置５により口金２１付近から離れるように移動され、口金２１の横側に配置される。図１〜図４と同様に、吸引ノズル４に負圧を作用させることで、吸引口１０を通じてボビン１２表面の糸端が捕捉される。さらに、ボビン１２が図中の矢印方向、すなわち糸７の巻取方向とは逆方向に回転されることで、糸端が吸引ノズル４の内部に引き込まれる。センサ２２により、吸引ノズル４内に糸端が引き込まれたことが検知されると、吸引が停止され、または次の処理工程が開始される。図８ａ、図８ｂおよび図８ｃは、上述の第１〜第３位置における糸上げ装置２０のスロット接続部２３を示す。スロット接続部２３は、口金２１に接続され、口金２１の長手方向に口金２１とともに移動する。スロット接続部２３には、スロットブロック２５を案内するためのスロットガイド２４を備える。糸上げ装置２０は、棒２６を通じて回転軸の２７およびスロットブロック２５に接続される。スロット接続部２３が長手方向に移動することにより、スロットブロック２５がスロットガイド２４内を移動し、糸上げ装置２０を上昇または下降させる。
【００４１】
図８ａは、口金２１が図５に示す第１位置（中間位置）にあるときのスロット接続部２３を示す。スロット接続部２３は口金２１と同様に中間位置にあり、糸上げ装置２０は水平方向に位置している。
【００４２】
図８ｂは、口金２１が図６に示す第３位置（第１位置よりもボビン１２から遠い位置）にあるときのスロット接続部２３を示す。スロット接続部２３が口金２１とともに遠位置（ボビン１２から離れた位置）に移動すると、スロットブロック２５はスロットガイド２４に沿って下方（スロットガイド２４のボビン１２側の終端部）に案内される。これにより、糸上げ装置２０が上昇し、糸ガイド１１から糸７を押し上げる。
【００４３】
図８ｃは、口金２１が図７に示す第２位置（第１位置よりもボビン１２に近い位置）にあるときのスロット接続部２３を示す。スロット接続部２３が口金２１とともに近位置（ボビン１２に近接する位置）に移動すると、スロットブロック２５はスロットガイド２４の吸引ノズル４側の終端部に案内される。回転軸２７により糸上げ装置２０が下降し、口金２１の移動経路が確保されることで、口金２１をボビン１２に近接させることが可能となる。
【００４４】
本発明は、図示および記載された実施形態に限定されない。実施形態の異同に関わらず、これらが有する複数の構成要素を組み合わせることで、請求項の枠組みの範囲内で種々の変形を行うことが可能である。
【符号の説明】
【００４５】
１：作業ステーション 
２：紡糸ユニット
３：糸搬送装置                      
４：吸引ノズル
５：綾振り装置              
６：巻取装置
７：糸
８：搬送ローラ
９：入口
１０：吸引口
１１：糸ガイド
１２：ボビン
１３：巻取ローラ
１４：ボビンアーム
１５：接続口
１６：吸引ライン
１７：吸引システム
１８：バルブ
１９：接続要素
２０：糸上げ装置
２１：口金
２２：センサ
２３：スロット接続部
２４：スロットガイド
２５：スロットブロック
２６：棒
２７：回転軸
２８：閉鎖要素
【図１】
2017043494.tif 000003
【図２】
2017043494.tif 000004
【図３】
2017043494.tif 000005
【図４】
2017043494.tif 000006
【図５】
2017043494.tif 000007
【図６】
2017043494.tif 000008
【図７】
2017043494.tif 000009
【図８ａ】
2017043494.tif 000010
【図８ｂ】
2017043494.tif 000011
【図８ｃ】
2017043494.tif 000012
【外国語明細書】
2017043494000001.pdf
2017043494000002.pdf
2017043494000003.pdf
2017043494000004.pdf